(57)【特許請求の範囲】
【請求項１】
所定の通信事業者で通信を行う通信事業者提案システムであって、
所定のタイミングで使用に係るデータ通信に関するデータを受信する通信データ受信手段と、
一の通信事業者の通信と料金とに関する更新データの受信又は入力を受け付ける更新データ受信手段と、
前記受け付けた更新データと、現在、選択されている所定の通信事業者による通信による設定データとを比較する設定比較手段と、
複数の端末を一のグループとして記憶し、前記一のグループに対する料金設定が対応付けられたグループ料金設定データを記憶するグループ料金設定データ記憶手段と、
比較した結果に応じて、前記受信した更新データが、前記一のグループに対する料金設定が対応付けられたグループ料金設定データを含むか否かを判断し、当該グループ料金設定データを含む場合には、当該一のグループに含まれる端末の少なくとも一台に、前記更新データに関するデータを送信する更新データ送信手段と、
を備える通信事業者提案システム。
【請求項２】
前記設定比較手段は、前記更新データ内の所定期間内の通信流量に対する料金と、前記設定データ内の同期間における前記端末の所定の通信事業者による通信流量に対する料金とを比較し
前記更新データ送信手段は、比較した結果、前記設定データの料金よりも、前記更新データの料金が低額である場合に、前記更新データに関するデータを送信する請求項１に記載の通信事業者提案システム。
【請求項３】
前記設定比較手段は、前記更新データ内の通信帯域と、前記設定データの通信帯域とを比較し、
前記更新データ送信手段は、前記更新データ内の通信帯域よりも、前記設定データの通信帯域の方が狭い場合には、前記更新データに関するデータを送信する請求項１に記載の通信事業者提案システム。
【請求項４】
所定の通信事業者で通話を行う通信事業者提案システムであって、
所定のタイミングで、通話量に関するデータを受信する通話量受信手段と、
一の通信事業者の通話と料金とに関する更新データの受信又は入力を受け付ける更新データ受信手段と、
前記受け付けた更新データと、現在、選択されている所定の通信事業者による通話による設定データとを比較する設定比較手段と、
複数の端末を一のグループとして記憶し、前記一のグループに対する料金設定が対応付けられたグループ料金設定データを記憶するグループ料金設定データ記憶手段と、
比較した結果に応じて、前記受信した更新データが、前記一のグループに対する料金設定が対応付けられたグループ料金設定データを含むか否かを判断し、当該グループ料金設定データを含む場合には、当該一のグループに含まれる端末の少なくとも一台に、前記更新データに関するデータを送信する更新データ送信手段と、
を備える通信事業者提案システム。
【請求項５】
通信事業者毎に提供され、端末の電話番号を特定するための記憶領域を有するカードを複数枚備え、当該端末が通信するための通信事業者を複数の通信事業者から一の通信事業者を選択して通信を行う選択通信手段と、
前記受信した更新データに関するデータに基づいて、当該更新データを提供した通信事業者に対応するカードを選択し、通信又は通話を行う通信事業者選択手段と、
を備える請求項１乃至４のいずれか一項に記載の通信事業者提案システム。
【請求項６】
所定の通信事業者で通信を行う通信事業者提案方法であって、
所定のタイミングで使用に係るデータ通信に関するデータを受信するステップと、
一の通信事業者の通信と料金とに関する更新データの受信又は入力を受け付けるステップと、
前記受け付けた更新データと、現在、選択されている所定の通信事業者による通信による設定データとを比較するステップと、
複数の端末を一のグループとして記憶し、前記一のグループに対する料金設定が対応付けられたグループ料金設定データを記憶するステップと、
比較した結果に応じて、前記受信した更新データが、前記一のグループに対する料金設定が対応付けられたグループ料金設定データを含むか否かを判断し、当該グループ料金設定データを含む場合には、当該一のグループに含まれる端末の少なくとも一台に、前記更新データに関するデータを送信するステップと、
を備える通信事業者提案方法。
【請求項７】
所定の通信事業者で通信を行う通信事業者提案システムに、
所定のタイミングで使用に係るデータ通信に関するデータを受信するステップ、
一の通信事業者の通信と料金とに関する更新データの受信又は入力を受け付けるステップ、
前記受け付けた更新データと、現在、選択されている所定の通信事業者による通信による設定データとを比較するステップ、
複数の端末を一のグループとして記憶し、前記一のグループに対する料金設定が対応付けられたグループ料金設定データを記憶するステップ、
比較した結果に応じて、前記受信した更新データが、前記一のグループに対する料金設定が対応付けられたグループ料金設定データを含むか否かを判断し、当該グループ料金設定データを含む場合には、当該一のグループに含まれる端末の少なくとも一台に、前記更新データに関するデータを送信するステップ、
を実行させるためのプログラム。
【発明の詳細な説明】
【技術分野】
【０００１】
本発明は、端末が使用する通信事業者の変更をユーザに提案する通信事業者提案システム、通信事業者提案方法及びプログラムに関する。
【背景技術】
【０００２】
近年、公衆回線網に接続された携帯端末をＷｅｂサーバ等と接続することで、ユーザに様々なサービスが提供されている。特に、スマートフォン（高機能携帯電話）の登場により、従来、パソコンに対して行われていた高度なサービスを、携帯端末で行うことが可能になってきた。
【０００３】
一方、携帯端末の通話やデータ通信回線を提供する通信事業者は、ユーザ獲得のために、様々なサービスを提案している。例えば、端末の一ヶ月の通信流量に対する料金設定を低額にしたり、端末が使用できる最大の通信帯域を広げ、ユーザの通信速度に関するメリットを提供している。
【０００４】
しかしながら、このような競争に数多くの通信事業者が参入してくることで、ユーザにとっては、どの通信事業者が自分にとって適切な通信事業者であるか判断できないという問題がある。特に、現在では各通信事業者が定期的に開催するキャンペーンなどで、最適な通信事業者を選択するのが難しくなってきている。
【０００５】
そのような課題に対して、複数の電話番号を有する携帯端末で、いずれかの電話番号を選択して通信を行う携帯端末において、通信を行うときに、最も安くなる電話番号を選択して通信を行う携帯端末が提案されている（例えば、特許文献１）。特許文献１においては、加入者テーブルと呼ばれる通信事業者と料金との対応テーブルによって、通信事業者の選択を行うことが開示されている。
【先行技術文献】
【特許文献】
【０００６】
【特許文献１】特開２００７−２３５６５４号公報
【発明の概要】
【発明が解決しようとする課題】
【０００７】
しかしながら、特許文献１に記載の方法では、加入者テーブルの更新が容易では無いという課題がある。なぜなら、加入者テーブルが携帯端末に内蔵されたカードに記憶されているからからである。今後、仮に、通信事業者の新サービスの提案する頻度が増してくると、同時に、通信事業者を判断するためのテーブルの更新頻度が増してくるため、常に、通信事業者を比較判断するテーブルは最新のサービスを反映できていることが望ましい。
【０００８】
本発明は、これらの課題に鑑み、ユーザにとって適切な通信事業者を提案する通信事業者提案システム、通信事業者提案方法及びプログラムを提供することを目的とする。
【課題を解決するための手段】
【０００９】
本発明では、以下のような解決手段を提供する。
【００１０】
第１の特徴に係る発明は、所定の通信事業者で通信を行う通信事業者提案システムであって、
所定のタイミングで使用に係るデータ通信に関するデータを受信する通信データ受信手段と、
一の通信事業者の通信と料金とに関する更新データの受信又は入力を受け付ける更新データ受信手段と、
前記受け付けた更新データと、現在、選択されている所定の通信事業者による通信による設定データとを比較する設定比較手段と、
複数の端末を一のグループとして記憶し、前記一のグループに対する料金設定が対応付けられたグループ料金設定データを記憶するグループ料金設定データ記憶手段と、
比較した結果に応じて、前記受信した更新データが、前記一のグループに対する料金設定が対応付けられたグループ料金設定データを含むか否かを判断し、当該グループ料金設定データを含む場合には、当該一のグループに含まれる端末の少なくとも一台に、前記更新データに関するデータを送信する更新データ送信手段と、
を備える通信事業者提案システムを提供する。
【００１１】
第１の特徴に係る発明によれば、所定の通信事業者で通信を行う通信事業者提案システムは、所定のタイミングで使用に係るデータ通信に関するデータを受信し、一の通信事業者の通信と料金とに関する更新データの受信又は入力を受け付け、前記受け付けた更新データと、現在、選択されている所定の通信事業者による通信による設定データとを比較し、複数の端末を一のグループとして記憶し、前記一のグループに対する料金設定が対応付けられたグループ料金設定データを記憶し、比較した結果に応じて、前記受信した更新データが、前記一のグループに対する料金設定が対応付けられたグループ料金設定データを含むか否かを判断し、当該グループ料金設定データを含む場合には、当該一のグループに含まれる端末の少なくとも一台に、前記更新データに関するデータを送信する。したがって、ユーザは、自信の通信事業者よりも適切な通信事業者に関するデータを受動的に受信することができる。
【００１２】
第１の特徴に係る発明は、通信事業者提案システムのカテゴリであるが、方法及び、プログラムであっても、そのカテゴリに応じた同様の作用、効果を奏する。
【００１３】
第２の特徴に係る発明は、さらに、前記設定比較手段が、前記更新データ内の所定期間内の通信流量に対する料金と、前記設定データ内の同期間における前記端末の所定の通信事業者による通信流量に対する料金とを比較し
前記更新データ送信手段が、比較した結果、前記設定データの料金よりも、前記更新データの料金が低額である場合に、前記更新データに関するデータを送信する第１の特徴に係る発明である通信事業者提案システムを提供する。
【００１４】
第２の特徴に係る発明によれば、第１の特徴に係る発明である通信事業者提案システムは、さらに、前記更新データ内の所定期間内の通信流量に対する料金と、前記設定データ内の同期間における前記端末の所定の通信事業者による通信流量に対する料金とを比較し、比較した結果、前記設定データの料金よりも、前記更新データの料金が低額である場合に、前記更新データに関するデータを送信する。
【００１５】
第３の特徴に係る発明は、前記設定比較手段が、前記更新データ内の通信帯域と、前記設定データの通信帯域とを比較し、
前記更新データ送信手段が、前記更新データ内の通信帯域よりも、前記設定データの通信帯域の方が狭い場合には、前記更新データに関するデータを送信する第１の特徴に係る発明である通信事業者提案システムを提供する。
【００１６】
第３の特徴に係る発明によれば、第１の特徴に係る発明である通信事業者提案システムは、さらに、前記更新データ内の通信帯域と、前記設定データの通信帯域とを比較し、前記更新データ内の通信帯域よりも、前記設定データの通信帯域の方が狭い場合には、前記更新データに関するデータを送信する。
【００１９】
第４の特徴に係る発明は、所定の通信事業者で通話を行う通信事業者提案システムであって、
所定のタイミングで、通話量に関するデータを受信する通話量受信手段と、
一の通信事業者の通話と料金とに関する更新データの受信又は入力を受け付ける更新データ受信手段と、
前記受け付けた更新データと、現在、選択されている所定の通信事業者による通話による設定データとを比較する設定比較手段と、
複数の端末を一のグループとして記憶し、前記一のグループに対する料金設定が対応付けられたグループ料金設定データを記憶するグループ料金設定データ記憶手段と、
比較した結果に応じて、前記受信した更新データが、前記一のグループに対する料金設定が対応付けられたグループ料金設定データを含むか否かを判断し、当該グループ料金設定データを含む場合には、当該一のグループに含まれる端末の少なくとも一台に、前記更新データに関するデータを送信する更新データ送信手段と、
を備える通信事業者提案システムを提供する。
第４の特徴に係る発明によれば、所定の通信事業者で通話を行う通信事業者提案システムは、所定のタイミングで、通話量に関するデータを受信し、一の通信事業者の通話と料金とに関する更新データの受信又は入力を受け付け、前記受け付けた更新データと、現在、選択されている所定の通信事業者による通話による設定データとを比較し、複数の端末を一のグループとして記憶し、前記一のグループに対する料金設定が対応付けられたグループ料金設定データを記憶し、比較した結果に応じて、前記受信した更新データが、前記一のグループに対する料金設定が対応付けられたグループ料金設定データを含むか否かを判断し、当該グループ料金設定データを含む場合には、当該一のグループに含まれる端末の少なくとも一台に、前記更新データに関するデータを送信する。
【００２０】
第５の特徴に係る発明は、通信事業者毎に提供され、端末の電話番号を特定するための記憶領域を有するカードを複数枚備え、当該端末が通信するための通信事業者を複数の通信事業者から一の通信事業者を選択して通信を行う選択通信手段と、
前記受信した更新データに関するデータに基づいて、当該更新データを提供した通信事業者に対応するカードを選択し、通信又は通話を行う通信事業者選択手段と、
を備える第１乃至第４のいずれかの特徴に係る発明である通信事業者提案システムを提供する。
第５の特徴に係る発明によれば、第１乃至第４のいずれかの特徴に係る発明である通信事業者提案システムは、通信事業者毎に提供され、前記端末の電話番号を特定するための記憶領域を有するカードを複数枚備え、当該端末が通信するための通信事業者を複数の通信事業者から一の通信事業者を選択して通信を行い、前記受信した更新データに関するデータに基づいて、当該更新データを提供した通信事業者に対応するカードを選択し、通信又は通話を行う。
第６の特徴に係る発明は、所定の通信事業者で通信を行う通信事業者提案方法であって、
所定のタイミングで使用に係るデータ通信に関するデータを受信するステップと、
一の通信事業者の通信と料金とに関する更新データの受信又は入力を受け付けるステップと、
前記受け付けた更新データと、現在、選択されている所定の通信事業者による通信による設定データとを比較するステップと、
複数の端末を一のグループとして記憶し、前記一のグループに対する料金設定が対応付けられたグループ料金設定データを記憶するステップと、
比較した結果に応じて、前記受信した更新データが、前記一のグループに対する料金設定が対応付けられたグループ料金設定データを含むか否かを判断し、当該グループ料金設定データを含む場合には、当該一のグループに含まれる端末の少なくとも一台に、前記更新データに関するデータを送信するステップと、
を備える通信事業者提案方法を提供する。
第７の特徴に係る発明は、所定の通信事業者で通信を行う通信事業者提案システムに、
所定のタイミングで使用に係るデータ通信に関するデータを受信するステップ、
一の通信事業者の通信と料金とに関する更新データの受信又は入力を受け付けるステップ、
前記受け付けた更新データと、現在、選択されている所定の通信事業者による通信による設定データとを比較するステップ、
複数の端末を一のグループとして記憶し、前記一のグループに対する料金設定が対応付けられたグループ料金設定データを記憶するステップ、
比較した結果に応じて、前記受信した更新データが、前記一のグループに対する料金設定が対応付けられたグループ料金設定データを含むか否かを判断し、当該グループ料金設定データを含む場合には、当該一のグループに含まれる端末の少なくとも一台に、前記更新データに関するデータを送信するステップ、
を実行させるためのプログラムを提供する。
【発明の効果】
【００２１】
本発明によれば、ユーザにとって適切な通信事業者を提案する通信事業者提案システム、通信事業者提案方法及びプログラムを提供することが可能となる。
【図面の簡単な説明】
【００２２】
【図１】図１は、通信事業者提案システム１の全体構成図と、各装置の機能ブロック図である。
【図２】図２は、通信事業者選択端末１０と、通信事業者提案サーバ１００が実行する通信事業者提案処理を示すフローチャート図である。
【図３】図３は、通信量データ及び、通話量に関するデータを示す図である。
【図４】図４は、通信事業者設定テーブル（通信流量）の一例である。
【図５】図５は、通信事業者設定テーブル（通信帯域）の一例である。
【図６】図６は、グループ料金設定データテーブル、グループ料金データテーブルの一例である。
【図７】図７は、通信事業者選択端末１０に表示される画面イメージ（カード切り替え）の一例である。
【図８】図８は、通信事業者選択端末１０に表示される画面イメージ（プラン申込み）の一例である。
【発明を実施するための形態】
【００２３】
以下、本発明を実施するための最良の形態について図を参照しながら説明する。なお、これはあくまでも一例であって、本発明の技術的範囲はこれに限られるものではない。
【００２４】
［通信事業者提案システム１のシステム構成］
図１は、本発明の好適な実施形態である通信事業者提案システム１のシステム全体の構成図と、各装置の機能ブロック図である。ここで、通信事業者提案サーバ１００は、公衆回線網及びＬＡＮ（ローカルエリアネットワーク）を介して、通信事業者選択端末１０と、通信事業者サーバ２００及び、通信事業者提案サーバ１００の管理端末５０と通信可能に接続されている。
【００２５】
通信事業者提案サーバ１００は、通常のコンピュータサーバであってよい。制御部１０１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１０２として、有線によるＬＡＮ接続により、インターネット等の公衆回線網に接続可能であってよい。記憶部１０３は、単独でハードディスク等を備えていてもよいし、データベース等と通信可能に接続されていてもよい。
【００２６】
通信事業者提案サーバ１００は、制御部１０１が所定のプログラムを読み込むことで、通信部１０２と協働して、通信データ・通話量受信モジュール１１０、更新データ受信モジュール１２０、更新データ送信モジュール１３０を実現する。また、通信事業者提案サーバ１００は、制御部１０１が所定のプログラムを読み込むことで、記憶部１０３と協働して、設定比較モジュール１４０、グループ料金設定データ記憶モジュール１５０を実現する。記憶部１０３には、設定データが記憶されており、後述する図４から図６に示す各種データテーブルが記憶されている。
【００２７】
通信事業者選択端末１０は、タッチパネルを初めとする入出力機能、通話・通信機能に加えて後述する機能を備えている、一般的な情報機器や電子機器であってよい。通信事業者選択端末１０は、例えば、携帯電話、スマートフォン、タブレット端末、ウェアラブル端末、テレビ、コンピュータに加えて、電話機、ネットブック端末、スレート端末、電子書籍端末、電子辞書端末、携帯型音楽プレーヤ、携帯型コンテンツ再生・録画プレーヤ等の一般的な情報家電であってよい。
【００２８】
通信事業者選択端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ対応デバイス又は、ＬＴＥ（ロングタームエボリューション）、第３、４世代移動通信システム等の無線デバイス等を備える（有線によるＬＡＮ接続であってもよい）。
【００２９】
通信事業者選択端末１０は、制御部１１と通信部１２との協働により、所定のプログラムを読み込んで、通信事業者選択モジュール２０を実現する。記憶部１３には、後述する図３に示す通信量データ、通話量データを記憶する。
【００３０】
好適な実施例では、通信部１２は、通信事業者が提供するＳＩＭカード（Ｓｕｂｓｃｒｉｂｅｒ  Ｉｄｅｎｔｉｆｙ  Ｍｏｄｕｌｅ  Ｃａｒｄ）を複数、装着することが可能である。ＳＩＭカードは、通信事業者選択端末１０の電話番号を特定するための記憶領域を備える。通信事業者選択端末１０の通信事業者選択モジュール２０は、制御部１１からのコマンドに応じて、ＳＩＭカードを切り替えて、切り替えられた通信事業者の無線通信をすることが可能である。
【００３１】
通信事業者サーバ２００も、通常のサーバであってよく、当該通信事業者の通信や通話に関する更新データを送信するサーバである。通信事業者選択端末１０にサービス提供する通信事業者の数（図１では通信事業者Ａ、Ｂ、Ｃ）だけ、通信事業者サーバ２００が通信可能に接続されていてよい。
【００３２】
管理端末５０は、通信事業者提案サーバ１００に管理者が入力を行うための端末であって、更新データを管理者が入力するための端末である。
【００３３】
［通信事業者提案処理］
図２は、通信事業者提案サーバ１００、通信事業者選択端末１０が実行する通信事業者提案処理のフローチャートである。上述した各コンピュータのモジュールが行う処理について、本処理にて併せて説明する。
【００３４】
はじめに、通信事業者選択端末１０は、通信量データ、通話量データを、所定のタイミングで通信事業者提案サーバ１００に送信する（ステップ０１）。ここで、所定のタイミングとは、通信事業者選択端末１０が、データ通信や通話を実行したタイミングであっても良いし、３時間毎、１日毎などの任意のタイミングであってよい。
【００３５】
ここで、通話量データとは、所定期間内の当該通信事業者選択端末１０が電話による通話をした時間に関する蓄積データであってよい。例えば、図３に示すように、通話量データは、１ヶ月あたりの総通話時間（７５分）であってよいし、また、例えば、蓄積データの平均値を算出した、３ヶ月の平均の総通話時間（８３分）であってもよい。一方、通信量データとは、所定期間内の当該通信事業者選択端末１０がデータ通信をした蓄積量を示すデータである。例えば、図３に示すように、通信量データは、１ヶ月あたりの累積通信時間（１．１８ＧＢ）であってよいし、また、例えば、３ヶ月の平均の累積通信時間（１．２ＧＢ）であってもよい。
【００３６】
これに応じて、通信事業者提案サーバ１００の通信データ・通話量受信モジュール１１０は、通信量データ、通話量データを、通信事業者選択端末１０から受信する（ステップ０２）。受信した通信量データ、通話量データは、通信事業者選択端末１０ごと、又は、通信事業者選択端末１０のユーザごとに管理して、通信事業者提案サーバ１００の記憶部１０３に記憶される。
【００３７】
ステップＳ０１とステップＳ０２は、任意のタイミング、例えば、１日毎や１ヶ月毎など定期的に行われて、逐次、データを通信事業者提案サーバ１００に蓄積していく。なお、通信量データ、通話量データを送信した通信事業者選択端末１０が、後述するグループに属する場合は、グループ毎に、グループ料金データテーブルに記憶する。
【００３８】
次に、通信事業者提案サーバ１００の更新データ受信モジュール１２０は、通信事業者提案サーバ１００から更新データを受付け、受信する（ステップＳ０３）。または、通信事業者提案サーバ１００の更新データ受信モジュール１２０は、管理端末５０から更新データの入力を受付ける。
【００３９】
ここで、更新データとは、通信事業者が提供する新サービスに関するデータであって、通信事業者と料金と、最大通信流量、最大通信帯域、最長通話時間、グループに関する情報のいずれか少なくとも一つが対応付けられたデータである。例えば、通信事業者Ａが新料金プランを提供し始めた場合、更新データは、通信事業者として通信事業者Ａ、最大通信流量として２．０ＧＢ、料金として１５００円などで構成される。このデータが、通信事業者Ａの通信事業者サーバ２００に登録され、通信事業者提案サーバ１００に送信される。または、管理端末５０から更新データが通信事業者Ａと対応付けられて入力される。
【００４０】
更新データに、グループが含まれる場合は、グループ料金設定データ記憶モジュール１５０がグループ毎に、グループ料金設定データとしてテーブルに記憶する（図６参照）。
【００４１】
次に、通信事業者提案サーバ１００は、更新データがグループ料金設定データであるか否かを判断する（ステップＳ０４）。グループ料金設定データとは、上記の更新データにグループプラン名が付加され、複数の端末が一つのグループに所属して、一のグループに対して、一の料金が設定されているデータである。図６に、グループ料金設定データテーブルの一例を示す。グループ料金設定データは、グループプラン名、グループの所属できる最大端末数、最大データ通信流量、最長通話時間、通信事業者、対応する料金で構成される。
【００４２】
通信事業者提案サーバ１００は、更新データにグループ料金設定データが含まれていると判断した場合（ステップＳ０４：「ＹＥＳ」）は、ステップＳ０５に処理を移す。通信事業者提案サーバ１００は、更新データにグループ料金設定データが含まれていないと判断した場合（ステップＳ０４：「ＮＯ」）は、ステップＳ０６に処理を移す。
【００４３】
ステップＳ０５において、設定比較モジュール１４０は、グループ提案フラグ処理として、グループ料金設定データの更新があったことを示すフラグを記憶する。
【００４４】
なお、フラグの起動は、設定比較モジュール１４０が、受信した更新データと、図６のグループ料金データテーブルとを比較した結果、更新データに含まれたグループ料金設定データのほうが、料金が低い場合にのみ、フラグを起動してもよい。図６に示すように、通信事業者提案サーバ１００は、通信事業者選択端末１０から受信した通信データ、通話量データを受信し、端末ごとに、通話データグループ料金データテーブルに、所定期間のデータ通信流量と通話時間を蓄積して、記憶しておく。図６の例では、グループ料金データのグループ：ファミリーＡは、グループプランＦＦＡが、現在、選択されている。しかし、更新データとして、グループプランＦＦＢを受信した場合は、ファミリーＡについては、最大データ通信流量と最長通話時間を考慮すると、グループプランＦＦＢに変更したほうが、料金が２０００円低くすむ。この比較処理を、設定比較モジュール１４０が行った結果としてのみ、フラグを起動してもよい。
【００４５】
次に、設定比較モジュール１４０は、受信した更新データと、現在、選択されている通信事業者による通信による設定データを比較する（ステップＳ０６）。ここで比較対象となるのは、例えば、通信流量や通信帯域であってよい。図３から図５に基づいて説明すると、現在、選択されている通信事業者による設定が、図４の通信事業者Ｂのプラン（一ヶ月の最大通信流量７ＧＢ、料金７０００円）である場合に、通信事業者Ａ（一ヶ月の最大通信流量３ＧＢ、料金２０００円）のプランを更新データとして受信したとする。この場合、この通信事業者選択端末１０の現在の通信料データの一ヶ月の蓄積分が、図３に示すように１．１８ＧＢである場合には、通信事業者をＢからＡに変更したほうが、料金が低い。したがって、設定比較モジュール１４０は、通信事業者選択端末１０のユーザに更新データを提案すべきであると判断する。
【００４６】
同様に、最大通信帯域についても説明すると、現在、選択されている通信事業者による設定が、図５の通信事業者Ａのプラン（最大通信帯域１００Ｍｂｐｓ、料金２０００円）である場合に、通信事業者Ｃ（最大通信帯域２００Ｍｂｐｓ、料金２０００円）のプランを更新データとして受信したとする。この場合、この通信事業者選択端末１０は、通信事業者をＡからＣに変更したほうが、広い通信帯域で料金が同じである。したがって、設定比較モジュール１４０は、通信事業者選択端末１０のユーザに更新データを提案すべきであると判断する。
【００４７】
また、上述のグループ料金設定データの更新があったことを示すフラグが記憶されている場合には、通信事業者選択端末１０のユーザに更新データを提案すべきであると判断する。
【００４８】
上記の判断は、データ通信のみならず、通話においても同様に、最長通話時間で比較されて、提案するかの判断が行われてよい。
【００４９】
次に、更新データ送信モジュール１３０は、通信事業者選択端末１０のユーザに更新データを提案すべきであると判断した（ステップＳ０７：「ＹＥＳ」）場合には、更新データに基づくメッセージを通信事業者選択端末１０に送信する（ステップＳ０８）。更新データ送信モジュール１３０は、通信事業者選択端末１０のユーザに更新データを提案すべきでないと判断した（ステップＳ０７：「ＮＯ」）場合には、処理を終了する。通信事業者選択端末１０に送信するメッセージは、更新データに含まれていてよく、通信事業者サーバ２００から受信したり、管理端末５０からの入力を受け付けてもよい。
【００５０】
これに応じて、通信事業者選択端末１０は、メッセージを受信して、表示し、メッセージに対する応答を受け付ける（ステップＳ０９）。通信事業者選択端末１０にメッセージを表示した例を、図７、図８に示す。図７の例では、「通信カードに切り替える」というボタン１５が表示され、このボタン１５を操作することで、通信事業者選択モジュール２０は、更新データが提案する通信事業者のカードを選択し、通信部１２内の利用可能な通信事業者カードを、更新データが提案する通信事業者のカードに切り替える（ステップＳ１０）。カード切り替え後、切り替えた通信事業者で通信・通話が可能になる。
【００５１】
図８の例では、上記のカード切り替えの他の実施態様であって、更新データとして、通信事業者Ｂの提案があった場合に、通信事業者Ｂに通信事業者選択端末１０が申し込んでいない（通信事業者Ｂのカードを内蔵していない）場合を説明する。「通信事業者Ｂのプラン申込」というボタン１７が表示され、このボタン１７を操作することで、通信事業者Ｂにメッセージが送信されて、通信事業者Ｂのプランの申し込みが完了し、例えば、通信事業者Ｂのカード送付の依頼が完了する。通信事業者選択端末１０のユーザは、送付された通信事業者Ｂのカードを空きスロットに装着して、通信事業者Ｂのプランで通信・通話を開始する。
【００５２】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５３】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５４】
１  通信事業者提案システム、１０  通信事業者選択端末、５０  管理端末、１００  通信事業者提案サーバ、２００  通信事業者サーバ
【図１】
0005992954.tif 000002
【図２】
0005992954.tif 000003
【図３】
0005992954.tif 000004
【図４】
0005992954.tif 000005
【図５】
0005992954.tif 000006
【図６】
0005992954.tif 000007
【図７】
0005992954.tif 000008
【図８】
0005992954.tif 000009